(57)【要約】【課題】結露が発生する事態を抑制可能な貯蔵庫を提供する。【解決手段】トレイ８０が収納されるカート本体３４を備えるカート３０と、カート本体３４を収容することが可能な貯蔵室２６を有する断熱箱２０と、貯蔵室２６に温風又は冷風のうち少なくとも一方を送風可能な送風装置と、を備え、カート本体３４の底板３３には、カート本体３４を支持する脚部３５が設けられ、カート本体３４の底板３３は、断熱箱２０の底壁２０Ｄの上方に配されるとともに底壁２０Ｄとの間に隙間Ｓ２を空けて配され、脚部３５は、断熱箱２０の底壁２０Ｄに貫通形成された切欠部２８を通じて、底壁２０Ｄの下方に露出され、断熱箱２０の側壁２０Ｂの内部には、送風装置から送風される空気を貯蔵室２６に供給可能とする空気供給路Ｌ２が設けられ、側壁２０Ｂには、隙間Ｓ２と空気供給路Ｌ２とを連通する連通孔２９が形成されていることに特徴を有する。【選択図】図４
2015150232.tif 000002
【特許請求の範囲】
【請求項１】
トレイが収納されるカート本体を備えるカートと、前記カート本体を収容することが可能な貯蔵室を有する断熱箱と、前記貯蔵室に温風又は冷風のうち少なくとも一方を送風可能な送風装置と、を備える貯蔵庫であって、
前記カート本体の底部には、前記カート本体を支持する脚部が設けられ、
前記カート本体の前記底部は、前記断熱箱の底壁の上方に配されるとともに前記底壁との間に隙間を空けて配され、
前記脚部は、前記断熱箱の前記底壁に貫通形成された切欠部を通じて、前記底壁の下方に露出され、
前記断熱箱の側壁の内部には、前記送風装置から送風される空気を前記貯蔵室に供給可能とする空気供給路が設けられ、
前記側壁には、前記隙間と前記空気供給路とを連通する連通孔が形成されている貯蔵庫。
【請求項２】
前記脚部は、
キャスタと、
前記キャスタと前記底部とを連結するとともに前記切欠部に貫通される連結部材と、を備え、
前記連結部材は、
垂直方向に延びる一対の垂直延設部と、
水平方向に延び、前記一対の垂直延設部同士を繋ぐ水平延設部と、を備え、
前記水平延設部と前記底部との間には、前記隙間と連通される第１空間が形成されている請求項１に記載の貯蔵庫。
【請求項３】
前記カート本体を収容した状態の前記断熱箱を収容可能な収容空間を有する箱状をなし、前記送風装置が設けられるステーションを備え、
前記ステーションにおける前記収容空間を構成する壁部には、前記壁部における前記断熱箱との対向面と前記断熱箱の外面との間に空気を送風可能な収容空間側送風装置が取り付けられている請求項１又は請求項２に記載の貯蔵庫。
【請求項４】
前記ステーションは、
前記断熱箱を前記収容空間に差し入れ可能とする開口部と、
一対のステーション側壁部と、
前記一対のステーション側壁部における前記開口部から遠い側の端部同士を互いに連結するステーション奥壁部と、を備え、
前記収容空間側送風装置は、
上下方向に延びる送風路を有し、前記一対のステーション側壁部のうち一方と前記ステーション奥壁部によって構成される角部に取り付けられるダクト部材と、
前記ダクト部材における上下方向の一端部に取り付けられるファンと、を備え、
前記ダクト部材には、前記送風路と前記収容空間とを連通する複数の貫通孔が貫通形成され、
前記複数の貫通孔は、
上下方向に配列された複数の第１貫通孔と
前記複数の第１貫通孔と平行状に配列された複数の第２貫通孔から構成され、
前記複数の第１貫通孔は、前記複数の第２貫通孔に対して、前記断熱箱に近い側に配され、
前記第１貫通孔の数は、前記第２貫通孔の数よりも多い請求項３に記載の貯蔵庫。
【発明の詳細な説明】
【技術分野】
【０００１】
本発明は、貯蔵庫に関する。
【背景技術】
【０００２】
従来、冷蔵室や温蔵室などの貯蔵室を備えた貯蔵庫として、下記特許文献１に記載のものが知られている。特許文献１のものでは、複数枚のトレイが収納されるカート本体と、カート本体が収容される箱体と、を備えている。
【先行技術文献】
【特許文献】
【０００３】
【特許文献１】特開２０１１−６７２８８号公報
【発明の概要】
【発明が解決しようとする課題】
【０００４】
上記貯蔵庫においては、外気と貯蔵室との温度差によって結露が発生する場合がある。衛生的な観点などから、結露の発生を抑制することが好ましく、この点において改善の余地があった。
本発明は上記のような事情に基づいて完成されたものであって、結露が発生する事態を抑制可能な貯蔵庫を提供することを目的とする。
【課題を解決するための手段】
【０００５】
上記課題を解決するために、本発明は、トレイが収納されるカート本体を備えるカートと、前記カート本体を収容することが可能な貯蔵室を有する断熱箱と、前記貯蔵室に温風又は冷風のうち少なくとも一方を送風可能な送風装置と、を備える貯蔵庫であって、前記カート本体の底部には、前記カート本体を支持する脚部が設けられ、前記カート本体の前記底部は、前記断熱箱の底壁の上方に配されるとともに前記底壁との間に隙間を空けて配され、前記脚部は、前記断熱箱の前記底壁に貫通形成された切欠部を通じて、前記底壁の下方に露出され、前記断熱箱の側壁の内部には、前記送風装置から送風される空気を前記貯蔵室に供給可能とする空気供給路が設けられ、前記側壁には、前記隙間と前記空気供給路とを連通する連通孔が形成されていることに特徴を有する。
【０００６】
本願発明では、カート本体の底部と断熱箱の底壁との間に隙間が形成され、断熱箱の底壁には、カートの脚部が貫通するための切欠部が形成されている。このため、切欠部を通じて、断熱箱外部の空気が当該隙間に侵入する事態が懸念される。当該隙間に外部の空気が侵入すると、貯蔵室内部（ひいては、貯蔵室に収容されたカート本体の底部）と当該隙間の空気との間に温度差が生じ、例えば、カート本体の底部の下面において、結露が発生する事態が懸念される。そこで、本願発明では、連通孔を介して当該隙間と空気供給路とを連通する構成とした。このようにすれば、空気供給路の空気（貯蔵室に送風される空気と同じ温度の空気）の一部が当該隙間に送られる。これにより、貯蔵室内部の空気と当該隙間の空気の温度差を小さくすることができ、結露が生じることを抑制することができる。
【０００７】
また、前記脚部は、キャスタと、前記キャスタと前記底部とを連結するとともに前記切欠部に貫通される連結部材と、を備え、前記連結部材は、垂直方向に延びる一対の垂直延設部と、水平方向に延び、前記一対の垂直延設部同士を繋ぐ水平延設部と、を備え、前記水平延設部と前記底部との間には、前記隙間と連通される第１空間が形成されているものとすることができる。
【０００８】
本発明では、水平延設部と底部との間に第１空間が形成されている。このようにすれば、当該隙間に送られた空気供給路の空気は、第１空間を通過することができる。この結果、空気の流れが水平延設部によって遮られることがなく、当該隙間の全域に亘って空気を送ることができる。
【０００９】
また、前記カート本体を収容した状態の前記断熱箱を収容可能な収容空間を有する箱状をなし、前記送風装置が設けられるステーションを備え、前記ステーションにおける前記収容空間を構成する壁部には、前記壁部における前記断熱箱との対向面と前記断熱箱の外面との間に空気を送風可能な収容空間側送風装置が取り付けられているものとすることができる。このような構成とすれば、断熱箱の外面に送風することができ、当該外面に結露が生じる事態を抑制できる。
【００１０】
また、前記ステーションは、前記断熱箱を前記収容空間に差し入れ可能とする開口部と、一対のステーション側壁部と、前記一対のステーション側壁部における前記開口部から遠い側の端部同士を互いに連結するステーション奥壁部と、を備え、前記収容空間側送風装置は、上下方向に延びる送風路を有し、前記一対のステーション側壁部のうち一方と前記ステーション奥壁部によって構成される角部に取り付けられるダクト部材と、前記ダクト部材における上下方向の一端部に取り付けられるファンと、を備え、前記ダクト部材には、前記送風路と前記収容空間とを連通する複数の貫通孔が貫通形成され、前記複数の貫通孔は、上下方向に配列された複数の第１貫通孔と前記複数の第１貫通孔と平行状に配列された複数の第２貫通孔から構成され、前記複数の第１貫通孔は、前記複数の第２貫通孔に対して、前記断熱箱に近い側に配され、前記第１貫通孔の数は、前記第２貫通孔の数よりも多いものとすることができる。
【００１１】
断熱箱に近い側に配される第１貫通孔の数を第２貫通孔の数に比べて多くすることで、断熱箱の外面により多くの空気を送風することができ、断熱箱の外面に結露が発生する事態をより確実に抑制できる。
【発明の効果】
【００１２】
本発明によれば、結露が発生する事態を抑制可能な貯蔵庫を提供することができる。
【図面の簡単な説明】
【００１３】
【図１】本発明の一実施形態に係る冷温蔵装置を示す分解斜視図
【図２】図１の冷温蔵装置を示す斜視図
【図３】冷温蔵装置を示す断面図（正面視）
【図４】図３において断熱箱底壁付近を拡大して示す図
【図５】断熱箱の側壁を内面側から視た図
【図６】カートの脚部を示す正面図
【図７】カートの脚部を示す断面図（図６のＶＩＩ−ＶＩＩ線で切断した図に対応）
【図８】ステーションを示す正面図
【図９】ダクト部材を示す斜視図
【図１０】冷温蔵装置を示す断面図（図８のＸ−Ｘ線で切断した図に対応）
【図１１】図１０において送風装置付近を拡大して示す図
【発明を実施するための形態】
【００１４】
本発明の一実施形態を図１ないし図１１によって説明する。本実施形態では、食品を貯蔵するための貯蔵庫として冷温蔵装置１３を例示する。冷温蔵装置１３は、図１及び図２に示すように、トレイ８０を収納するカート３０と、カート３０を出し入れ可能に収納する断熱箱２０と、断熱箱２０を出し入れ可能に収納するステーション７０と、を備えている。なお、本実施形態では、ステーション７０からカート３０又は断熱箱２０を出す方向を前方、ステーション７０に対してカート３０又は断熱箱２０を入れる方向を後方とし、この前後方向と水平に交差する方向を左右方向、前後方向と垂直に交差する方向を上下方向とする。
【００１５】
カート３０（フレームカート）は、図１に示すように、トレイ８０が収納されるカート本体３４と、カート本体３４の底部に設けられ、カート本体３４を支持する脚部３５と、を備えている。カート本体３４は、底板３３（底部）と、底板３３の左右の側縁から、それぞれ立ち上がる金属製のフレーム３１と、底板３３における左右方向の略中央部分から立ち上がる仕切壁４０と、を備えている。脚部３５は、キャスタ３２を備えている。これにより、カート３０を移動させることが可能となっている。なお、仕切壁４０は、前後方向に長い単位仕切壁を複数段積み重ねることで構成されている。
【００１６】
断熱箱２０の内部には、貯蔵室２６が形成されている。貯蔵室２６は、前後両面が開口されており、その開口部にはそれぞれ観音開き式の断熱扉２１が装着されている。前後の断熱扉２１を閉じることで貯蔵室２６を閉じた空間とすることができる。貯蔵室２６には、カート本体３４を収容することが可能とされる。これにより、カート３０及び断熱箱２０を配膳車として一体的に用いることができる。また、断熱箱２０の底面にはキャスタ２２が設けられている。これにより、使用者は、断熱箱２０の前面に設けられた把手２５を把持しつつ、断熱箱２０を移動させることができる。
【００１７】
図２に示すように、カート３０を断熱箱２０に収納した状態では、貯蔵室２６が仕切壁４０によって左右に仕切られる。これにより、仕切壁４０の左側に温蔵室１１が、右側に冷蔵室１２が形成される。温蔵室１１には、ステーション７０側で生成された暖気又は冷気が循環供給され、冷蔵室１２には、ステーション７０側で生成された冷気が循環供給される構成となっている。なお、トレイ８０は、図２に示すように、左右方向の一方側が温蔵室１１に配され、他方側が冷蔵室１２に配される構成となっている。
【００１８】
ステーション７０は、図１に示すように、正面及び底面が開口された収容空間Ｓ１を有する略箱形をなし、収容空間Ｓ１には、正面の開口を通じて、カート３０が収容された状態の断熱箱２０を出し入れ可能となっている。ステーション７０の上部には、図３に示すように、２つの熱交換室７１,７２が水平方向に並んで区画形成されている。温蔵室１１の上方に配された第１熱交換室７１（正面視左側の熱交換室）には冷却器７１Ａからなる冷却手段とヒータ７１Ｂからなる加熱手段とが設けられ、冷蔵室１２の上方に配された第２熱交換室７２（正面視右側の熱交換室）には冷却器７２Ａからなる冷却手段のみが設けられている。また、両熱交換室７１、７２にはファン７１Ｃ,７２Ｃがそれぞれ設けられている。
【００１９】
なお、冷却器７１Ａ、ヒータ７１Ｂ、ファン７１Ｃは、温蔵室１１に温風又は冷風を送風可能な送風装置（温蔵室側の送風装置）を構成し、冷却器７２Ａ、ファン７２Ｃは、冷蔵室１２に冷風を送風可能な送風装置（冷蔵室側の送風装置）を構成するものとされる。
【００２０】
第１熱交換室７１の底部及び第２熱交換室７２の底部には、導入通口７３がそれぞれ設けられている。これに対応して、断熱箱２０の天井壁の中央部には、温蔵室１１又は冷蔵室１２と個別に連通する吸込通口２４が形成されている。各導入通口７３は、温蔵室１１の吸込通口２４と、冷蔵室１２の吸込通口２４の上方にそれぞれ配されている。各導入通口７３は、対応する吸込通口２４とそれぞれ接続されている。
【００２１】
また、第１熱交換室７１の底部及び第２熱交換室７２の底部には、帯状の導出通口７４がそれぞれ設けられている。これに対応して、断熱箱２０の天井壁の左右両側縁部には、それぞれ前後方向に細長い吹出通口２３が形成されている。各導出通口７４は、温蔵室１１の吹出通口２３と冷蔵室１２の吹出通口２３にそれぞれ接続される。
【００２２】
一方、断熱箱２０の左右の側壁２０Ａ,２０Ｂの内部には、略全面にわたる空気供給路Ｌ１,Ｌ２がそれぞれ形成されている。空気供給路Ｌ１は、その上端において、温蔵室１１側の吹出通口２３と連通されている。また、空気供給路Ｌ２は、その上端において、冷蔵室１２側の吹出通口２３と連通されている。
【００２３】
また、側壁２０Ａ,２０Ｂには、複数の吹出孔２７が形成されている。各吹出孔２７は、空気供給路Ｌ１,Ｌ２とそれぞれ連通されている。これにより、温蔵室１１と冷蔵室１２には、各吹出孔２７を通じて、空気供給路Ｌ１,Ｌ２から温風又は冷気がそれぞれ複数段に亘って吹き出される。以上の構成により、カート３０及び断熱箱２０がステーション７０内に収納されて、対応する通口同士が接続されると、第１熱交換室７１と温蔵室１１の間、並びに第２熱交換室７２と冷蔵室１２の間に、それぞれ空気の循環路が形成されるようになっている。
【００２４】
次に、カート３０の脚部３５及び断熱箱２０の底部付近の構成について説明する。図６及び図７に示すように、カート３０の脚部３５は、複数のキャスタ３２と、各キャスタ３２と底板３３とを連結する連結部材３９と、を備えている。連結部材３９は、例えば、金属製のフレーム部材とされ、垂直方向に延びる一対の垂直延設部３７，３７と、水平方向（前後方向）に延び、一対の垂直延設部３７，３７同士を繋ぐ水平延設部３８と、を備えている。
【００２５】
図１に示すように、断熱箱２０の底壁２０Ｄには、切欠部２８が貫通形成されている。切欠部２８は、前方に開口されている。これにより、カート本体３４を貯蔵室２６に前方から収容する際には、切欠部２８に対して、カート３０の一対の垂直延設部３７,３７及び水平延設部３８を前方から差し入れることが可能となっている。なお、一対の垂直延設部３７,３７、水平延設部３８、切欠部２８は、左右方向に一対設けられている。これにより、カート本体３４を貯蔵室２６に収容した状態では、図３に示すように、垂直延設部３７及び水平延設部３８が切欠部２８を貫通し、脚部３５の一部（キャスタ２２及び取付部３６）が底壁２０Ｄの下方に露出する構成となっている。
【００２６】
また、カート本体３４の底板３３は、図４に示すように、断熱箱２０の底壁２０Ｄの上方に配されており、底壁２０Ｄとの間に隙間Ｓ２を空けて配されている。切欠部２８は、平面視において前後方向に長い方形状をなしており、水平延設部３８は、平面視において切欠部２８よりも一回り小さい方形状をなしている。このため、水平延設部３８は切欠部２８に嵌合可能な形状をなしている。図４に示すように、水平延設部３８の外面と切欠部２８の内面との間には、わずかに隙間が生じている。このため、上記隙間Ｓ２は、切欠部２８を通じて、断熱箱２０の外部空間と連通されている。また、水平延設部３８は、底板３３との間に第１空間Ｓ３を空けて配されている。この第１空間Ｓ３は、隙間Ｓ２と連通されている。
【００２７】
図４に示すように、断熱箱２０の側壁２０Ｂにおいて、隙間Ｓ２と同じ高さとなる箇所には、隙間Ｓ２と空気供給路Ｌ２とを連通する連通孔２９が形成されている。なお、側壁２０Ｂは、図４に示すように、内側の壁部２０Ｂ１と、外側の壁部２０Ｂ２とから構成され、空気供給路Ｌ２は、壁部２０Ｂ１と壁部２０Ｂ２の間に形成されている。連通孔２９は、壁部２０Ｂ１の下端部に貫通形成されている。なお、上記吹出孔２７は、壁部２０Ｂ１に貫通形成されており、連通孔２９の上方に配されている。図５に示すように、連通孔２９は、前後方向（図５の左右方向）に長い形状をなし、前後方向（図５の左右方向）において２個所に形成されている。また、連通孔２９は、側壁２０Ａ側にも形成されている。
【００２８】
次に、ステーション７０の収容空間Ｓ１に設けられた送風装置６０（収容空間側送風装置）について説明する。送風装置６０は、図１及び図８に示すように、ステーション７０の収容空間Ｓ１の奥側に設けられている。ステーション７０は、一対の側壁部７５,７５と、奥壁部７６を備え、一対の側壁部７５,７５（ステーション側壁部）と、奥壁部７６（ステーション奥壁部）によって収容空間Ｓ１が構成されている。
【００２９】
つまり、ステーション７０は、前方に開口された開口部７７（断熱箱２０を収容空間Ｓ１に差し入れ可能とする開口部）を有しており、奥壁部７６は、一対の側壁部７５,７５における後端部（開口部７７から遠い側の端部）同士を互いに連結するものとされる。送風装置６０は、図８に示すように、上下方向に長いダクト部材６１と、ダクト部材６１の下端部に取り付けられるファン６２と、を備えている。送風装置６０（ダクト部材６１）は、図１０に示すように、奥壁部７６と各側壁部７５によって構成される角部の各々に設けられている。
【００３０】
ダクト部材６１は、図９及び図１１に示すように、奥壁部７６及び側壁部７５側が開口された略箱状をなしており、その内部には上下方向に延びる送風路Ｓ４が形成されている。ファン６２は、送風路Ｓ４内に送風可能な構成となっている。また、ダクト部材６１を構成する一対の側壁部６３,６３には、複数の貫通孔６３Ａ,６３Ｂがそれぞれ貫通形成されている。貫通孔６３Ａ,６３Ｂは、図１１に示すように、送風路Ｓ４と収容空間Ｓ１とを連通する構成とされ、送風路Ｓ４内の空気を収容空間Ｓ１に吹き出すための吹出孔とされる。なお、ダクト部材６１は、奥壁部７６及び側壁部７５に取り付けられ、送風路Ｓ４は、ダクト部材６１、奥壁部７６、側壁部７５に囲まれることで閉じた空間となる。
【００３１】
これにより、ファン６２を駆動させることで、送風路Ｓ４及び各貫通孔６３Ａ,６３Ｂを通じて、収容空間Ｓ１に空気を送風可能となっている。図１０に示すように、収容空間Ｓ１には、断熱箱２０が側壁部７５，７５及び奥壁部７６との間に隙間を空けるように収容されている。このため、各貫通孔６３Ａ,６３Ｂから吹き出された空気は、図１１に示すように、奥壁部７６の内面７６Ａと断熱箱２０の外面２０Ｅ１との間、及び側壁部７５の内面７５Ａ（断熱箱との対向面）と断熱箱２０の外面２０Ｅ２との間にそれぞれ送風される（空気の流れを矢印Ｗ１で示す）。
【００３２】
貫通孔６３Ａ（第１貫通孔）及び貫通孔６３Ｂ（第２貫通孔）は、それぞれ長手状をなし、同じ形状をなしている。貫通孔６３Ａは、図９に示すように、上下方向に複数配列されている。一方、貫通孔６３Ｂは、上下方向に複数配列されている。つまり、複数の貫通孔６３Ｂは、複数の貫通孔６３Ａと平行状に配されている。複数の貫通孔６３Ａは、複数の貫通孔６３Ｂに対して、断熱箱２０に近い側に配されている。また、貫通孔６３Ａの数は、貫通孔６３Ｂの数よりも多いものとされる。言い換えると、貫通孔６３Ａは、貫通孔６３Ｂに比して配置密度が大きく設定されている。なお、本実施形態では、貫通孔６３Ａ及び貫通孔６３Ｂがダクト部材６１の各側壁部６３,６３にそれぞれ形成されているが、一方の側壁部６３のみに形成されていてもよい。
【００３３】
次に、本実施形態の冷温蔵装置の使用例を説明する。まず、調理済みの温食と冷食とをプレハブ冷蔵庫内等においてチルド保存する。次に、翌朝等にプレハブ冷蔵庫内等から取り出した温食と冷食とをトレイ８０に盛り付け、各トレイ８０をカート３０の温蔵室１１と冷蔵室１２に亘って複数段に収納し、カート３０及び断熱箱２０をステーション７０に入れてチルド保存する。カート３０及び断熱箱２０がステーション７０に入れられると、初めは、両熱交換室７１、７２の両冷却手段が作動され、温蔵室１１と冷蔵室１２には共に冷気が循環供給されることで、トレイ８０に載せられた温食と冷食が共にチルド保存される。
【００３４】
所定時間が経過すると、ステーション７０に設けられたタイマの作動により、第１熱交換室７１では、冷却手段から加熱手段の作動に切り替わる。一方、第２熱交換室７２では、引き続き冷却手段が作動された状態が維持される。これにより、温蔵室１１内には暖気が循環されることでチルド保存された温食が再加熱され、一方、冷蔵室１２内では冷食が設定された庫内温度で冷蔵保存される。配膳時刻となったら、カート３０及び断熱箱２０がステーション７０から引き出され、トレイ８０が取り出されて配膳に供されるようになっている。
【００３５】
次に、本実施形態の効果について説明する。本実施形態では、カート本体３４の底板３３と断熱箱２０の底壁２０Ｄとの間に隙間Ｓ２が形成され、断熱箱２０の底壁２０Ｄには、カート３０の脚部３５が貫通するための切欠部２８が形成されている。このため、切欠部２８を通じて、断熱箱２０外部の空気が当該隙間Ｓ２に侵入する事態が懸念される。当該隙間Ｓ２に外部の空気が侵入すると、貯蔵室２６内部（ひいては、貯蔵室２６に収容されたカート本体３４の底板３３）と当該隙間Ｓ２の空気との間に温度差が生じ、例えば、カート本体３４の底板３３の下面において、結露が発生する事態が懸念される。そこで、本実施形態では、連通孔２９を介して当該隙間Ｓ２と空気供給路Ｌ２とを連通する構成とした。このようにすれば、空気供給路Ｌ２の空気（貯蔵室に送風される空気と同じ温度の空気）の一部が当該隙間Ｓ２に送られる。これにより、貯蔵室２６内部の空気と当該隙間Ｓ２の空気の温度差を小さくすることができ、結露が生じることを抑制することができる。
【００３６】
また、脚部３５は、キャスタ３２と、キャスタ３２と底板３３とを連結する一対の垂直延設部３７と、水平方向に延び、一対の垂直延設部３７同士を繋ぐ水平延設部３８と、を備え、水平延設部３８は、切欠部２８に嵌合されており、水平延設部３８と底板３３との間には、隙間Ｓ２と連通される第１空間Ｓ３が形成されている。
【００３７】
切欠部２８に水平延設部３８が嵌合されることで、切欠部２８の一部を水平延設部３８によって塞ぐことができる。これにより、切欠部２８を通じて、断熱箱２０外部の空気が当該隙間Ｓ２に侵入する事態を抑制できる。また、水平延設部３８と底板３３との間には、第１空間Ｓ３が形成されている。このようにすれば、当該隙間Ｓ２に送られた空気供給路Ｌ２の空気が水平延設部３８に遮られることがなく、当該隙間Ｓ２の全域に亘って空気を送ることができる。
【００３８】
また、脚部３５は、キャスタ３２と、キャスタ３２と底板３３とを連結するとともに切欠部２８に貫通される連結部材３９と、を備え、連結部材３９は、垂直方向に延びる一対の垂直延設部３７，３７と、水平方向に延び、一対の垂直延設部３７，３７同士を繋ぐ水平延設部３８と、を備え、水平延設部３８と底板３３との間には、隙間Ｓ２と連通される第１空間Ｓ３が形成されている。
【００３９】
本実施形態では、水平延設部３８を切欠部２８に嵌合させることで、切欠部２８を通じて外部の空気が断熱箱２０内に侵入する事態を抑制できる。また、水平延設部３８と底板３３との間に第１空間Ｓ３が形成されている。このようにすれば、当該隙間Ｓ２に送られた空気供給路Ｌ２（又はＬ１）の空気は、第１空間Ｓ３を通過することができる。この結果、空気の流れが水平延設部３８によって遮られることがなく、当該隙間Ｓ２の全域に亘って空気を送ることができる。
【００４０】
また、カート本体３４を収容した状態の断熱箱２０を収容可能な収容空間Ｓ１を有する箱状をなし、送風装置が設けられるステーション７０を備え、収容空間Ｓ１を構成する壁部には、壁部における断熱箱２０との対向面と断熱箱２０の外面との間に空気を送風可能な送風装置６０が設けられている。このような構成とすれば、断熱箱２０の外面に送風することができ、当該外面に結露が生じる事態を抑制できる。
【００４１】
また、ステーション７０は、断熱箱２０を収容空間Ｓ１に差し入れ可能とする開口部７７と、一対の側壁部７５と、一対の側壁部７５において、開口部７７から遠い側の端部同士を互いに連結する奥壁部７６と、を備え、送風装置６０は、上下方向に延びる送風路Ｓ４を有し、一対の側壁部７５のうち一方と奥壁部７６によって構成される角部に取り付けられるダクト部材６１と、ダクト部材６１における上下方向の一端部に取り付けられるファン６２と、を備え、ダクト部材６１には、送風路Ｓ４と収容空間Ｓ１とを連通する複数の貫通孔が貫通形成され、複数の貫通孔は、上下方向に配列された複数の貫通孔６３Ａと複数の貫通孔６３Ａと平行状に配列された複数の貫通孔６３Ｂから構成され、複数の貫通孔６３Ａは、複数の貫通孔６３Ｂに対して、断熱箱２０に近い側に配され、貫通孔６３Ａの数は、貫通孔６３Ｂの数よりも多いものとされる。
【００４２】
断熱箱２０に近い側に配される貫通孔６３Ａの数を貫通孔６３Ｂの数に比べて多くすることで、各貫通孔６３Ａから吹き出される空気の量が多くなり、断熱箱２０の外面により多くの空気を送風することができる。このため、断熱箱２０の外面に結露が発生する事態をより確実に抑制できる。また、送風装置６０は、収容空間Ｓ１において開口部７７から遠い側の端部に配されている。収容空間Ｓ１において開口部７７から遠い箇所は、空気の移動が少なくなり、湿気が多くなり易い。このような箇所に送風装置６０を設けることで、湿気を多く含む空気を外部に排気することができ好適である。
【００４３】
＜他の実施形態＞
本発明は上記記述及び図面によって説明した実施形態に限定されるものではなく、例えば次のような実施形態も本発明の技術的範囲に含まれる。
（１）上記実施形態では、温蔵室１１及び冷蔵室１２を備える冷温蔵装置１３を例示したが、これに限定されない。温蔵室１１又は冷蔵室１２のうち、少なくとも一方を備えた貯蔵庫であってもよい。
（２）脚部３５の構成は上記実施形態で例示したものに限定されず適宜変更可能である。
（３）上記実施形態では、ステーション７０に送風装置（ファン、冷却器、ヒータ）が設けられている構成を例示したが、これに限定されない。例えば、送風装置が断熱箱２０側に設けられていてもよい。
【符号の説明】
【００４４】
１３…冷温蔵装置（貯蔵庫）、２０…断熱箱、２０Ａ，２０Ｂ…断熱箱の側壁、２０Ｄ…断熱箱の底壁、２６…貯蔵室、２８…切欠部、２９…連通孔、３０…カート、３２…キャスタ、３３…底板（カート本体の底部）、３４…カート本体、３５…脚部、３７…垂直延設部、３８…水平延設部、３９…連結部材、６０…送風装置（収容空間側送風装置）、６１…ダクト部材、６２…ファン、６３Ａ…貫通孔（第１貫通孔）、６３Ｂ…貫通孔（第２貫通孔）、７０…ステーション、７１Ａ，７２Ａ…冷却器（送風装置を構成）、７１Ｂ…ヒータ（送風装置を構成）、７１Ｃ，７２Ｃ…ファン（送風装置を構成）、７５…側壁部（ステーション側壁部）、７６…奥壁部（ステーション奥壁部）、７７…開口部、８０…トレイ、Ｓ１…収容空間、Ｓ２…隙間、Ｓ３…第１空間、Ｓ４…送風路、Ｌ１，Ｌ２…空気供給路
【図１】
2015150232.tif 000003
【図２】
2015150232.tif 000004
【図３】
2015150232.tif 000005
【図４】
2015150232.tif 000006
【図５】
2015150232.tif 000007
【図６】
2015150232.tif 000008
【図７】
2015150232.tif 000009
【図８】
2015150232.tif 000010
【図９】
2015150232.tif 000011
【図１０】
2015150232.tif 000012
【図１１】
2015150232.tif 000013